(57)【要約】【課題】電気コンタクト装置及び方法を改善すること。【解決手段】電気コンタクトは、軸方向に整列された電気的に伝導性である複数のワイヤであって、それぞれのワイヤがそれらの周辺表面で少なくとも１つの他のワイヤと電気的に接触するワイヤと、電気的に伝導性である内側スリーブであって、複数のワイヤの周りに配置され且つ内側スリーブが半径方向に広がることを許可するように適合された前縁から軸方向に延在する少なくとも１つのスロットを有する内側スリーブと、複数のワイヤと内側スリーブの前縁を少なくとも保護するために内側スリーブの回りに配置される外側シェルと、複数のワイヤ、内側スリーブ及び外側シェルの端子端に位置する取り付け部であって、少なくとも複数のワイヤと内側スリーブと電気的に接触し且つ少なくとも複数のワイヤと第１電子装置と電気的に接触する内側スリーブを置くために適合される取り付け部と、を含む。【選択図】図１
2010192442.tif 000002
【特許請求の範囲】
【請求項１】
電気的コンタクトであって、
軸方向に整列された電気的に伝導性である複数のワイヤであって、それぞれのワイヤがそれらの周辺表面で少なくとも１つの他のワイヤと電気的に接触するワイヤと、
電気的に伝導性である内側スリーブであって、複数のワイヤの周りに配置され且つ内側スリーブが半径方向に広がることを許可するように適合された前縁から軸方向に延在する少なくとも１つのスロットを有する内側スリーブと、
少なくとも複数のワイヤと内側スリーブの前縁を保護するために内側スリーブの回りに配置される外側シェルと、
複数のワイヤ、内側スリーブ及び外側シェルの端子端に位置する取り付け部であって、少なくとも複数のワイヤと内側スリーブと電気的に接触し且つ少なくとも複数のワイヤと第１電子装置と電気的に接触する内側スリーブを置くために適合される取り付け部と、
を備える電気的コンタクト。
【請求項２】
請求項１の電気的コンタクトであって、
内側スリーブがそこの第２電気的コンタクトを受容するように適合され、
内側スリーブは、
複数の軸方向に整列された電気的に伝導性のワイヤであって、それぞれのワイヤがそこの周辺表面の少なくとも１つの他のワイヤと電気的に接触しているワイヤと、
電気的に伝導性のスリーブであって、前記複数のワイヤの周りに配置され、電流を運び且つ少なくとも前記複数のワイヤの前縁を保護するためのスリーブとを含み、
請求項１の電気的コンタクトと第２電気的コンタクトが一緒に一体化する場合に、請求項１の電気的コンタクトの複数のワイヤが、前記第２電気的コンタクトの複数のワイヤと電気的に接触しており、且つ、請求項１の電気的コンタクトの内側スリーブが、前記第２電気的コンタクトのスリーブと電気的に接触していることを特徴とする請求項１の電気的コンタクト。
【請求項３】
内側スリーブが、第２コンタクトのスリーブの前縁を外側スリーブに案内するためのテーパー状の入口部分を含むことを特徴とする請求項２の電気的コンタクト。
【請求項４】
複数のワイヤが、取り付け部分と複数のワイヤの間に位置するカラー部分よりも小さな直径を有し、それによりストップを提供するステップ部分を規定することを特徴とする請求項１の電気的コンタクト。
【請求項５】
取り付け部分が、はんだ付け、ろう付け、溶接、及び圧接のうちの少なくとも１つにより取り付け部分を複数のワイヤに接続するために適合される前縁で、接続部分を含むことを特徴とする請求項１の電気的コンタクト。
【請求項６】
取り付け部分が１６ゲージ以下の電線に取り付けるように適合されていることを特徴とする請求項１の電気的コンタクト。
【請求項７】
内側スリーブが、取り付け部に対応する環状溝を係合するように適合されたそこの後端で内側に突出する環状リブを含むことを特徴とする請求項１の改善された電気的コンタクト。
【請求項８】
取り付け部と内側スリーブが、導電性材料の単一片から一体的に形成されることを特徴とする請求項１の電気的コンタクト。
【請求項９】
取り付け部と外側スリーブが、導電性材料の単一片から一体的に形成されることを特徴とする請求項１の電気的コンタクト。
【請求項１０】
外側シェルが、少なくとも１つの誘電性材料とステンレス鋼から形成されることを形成されることを特徴とする請求項１の電気的コンタクト。
【請求項１１】
電気的コンタクトアセンブリであって、
第１電気的コンタクトが、
軸方向に整列された電気的に伝導性である第１複数ワイヤであって、それぞれのワイヤがそれらの周辺表面で少なくとも１つの他のワイヤと電気的に接触する第１複数ワイヤと、
第１電気的伝導性スリーブであって、前記第１複数ワイヤの周りに配置され且つ第１スリーブが半径方向に広がることを許可するように適合された前縁から軸方向に延在する少なくとも１つのスロットを有する第１電気的伝導性スリーブと、
少なくとも第１複数ワイヤと第１スリーブの前縁を保護するために第１スリーブの回りに配置される外側シェルと、
第１複数ワイヤ、第１スリーブ及び外側シェルの端子端に位置する第１取り付け部であって、少なくとも複数ワイヤと第１スリーブと電気的に接触し且つ少なくとも第１複数ワイヤと第１電子装置と電気的に接触する第１スリーブを置くために適合される第１取り付け部とを含む第１電気的コンタクトと、
第２電気的コンタクトが
軸方向に整列された電気的に伝導性である第２複数ワイヤであって、それぞれのワイヤがそれらの周辺表面で少なくとも１つの他のワイヤと電気的に接触する第２複数ワイヤと、
第２電気的伝導性スリーブであって、前記複数ワイヤの周りに配置され、電流を運び、且つ少なくとも第２複数ワイヤの前縁を保護するための第２電気的伝導性スリーブと、
第２複数ワイヤ、第２スリーブ及び外側シェルの端子端に位置する第２取り付け部であって、少なくとも第２複数ワイヤと第２スリーブと電気的に接触し且つ少なくとも第２複数ワイヤと第２電子装置と電気的に接触する第２スリーブを置くために適合される第２取り付け部とを含む第２電気的コンタクトとを備え、
第１スリーブがそこに第２スリーブを受容するように適合され、且つ第１及び第２電気的コンタクトの間で電気的コンタクトの第１位置を作り、
第１及び第２電気的コンタクト間で電気的コンタクトの第２位置を作るために
第１複数ワイヤ及び第２複数ワイヤが互いに噛み合うことを特徴とする電気的コンタクトアセンブリ。
【請求項１２】
第１スリーブが、第１電気的コンタクトが第２電気的コンタクトと一体になるときに、第２スリーブの前縁を第１スリーブに案内するために、テーパー状の入口部分を含んでいることを特徴とする請求項１１の電気的コンタクトアセンブリ。
【請求項１３】
第１複数ワイヤが、第１取り付け部分と第１複数ワイヤの間に位置する第１カラー部分よりも小さな直径を有し、それにより第１ストップを提供する第１ステップ部分を規定し、
第２複数ワイヤが、第２取り付け部分と第２複数ワイヤの間に位置する第２カラー部分よりも小さな直径を有し、それにより第２ストップを提供する第２ステップ部分を規定することを特徴とする請求項１１の電気的コンタクトアセンブリ。
【請求項１４】
第１取り付け部分が、はんだ付け、ろう付け、溶接、及び圧接のうちの少なくとも１つにより第１取り付け部分を第１複数ワイヤに接続するために適合される前縁で、第１接続部分を含み、
第２取り付け部分が、はんだ付け、ろう付け、溶接、及び圧接のうちの少なくとも１つにより第２取り付け部分を第２複数ワイヤに接続するために適合される前縁で、第２接続部分を含むことを特徴とする請求項１１の電気的コンタクトアセンブリ。
【請求項１５】
第１取り付け部分及び第２取り付け部分が１６ゲージ以下の電線に取り付けられるように適合されていることを特徴とする請求項１１の電気的コンタクトアセンブリ。
【請求項１６】
第１スリーブは、その後端で内側に突出する環状リブを含み、環状リブが対応する環状溝を第１取り付け部に係合するように適合されることを特徴とする請求項１１の電気的コンタクトアセンブリ。
【請求項１７】
第１取り付け部分と第１スリーブが、導電性材料の単一の第１片から一体的に形成され、
第２取り付け部分と第２スリーブが、導電性材料の単一の第２片から一体的に形成されることを特徴とする請求項１１の電気的コンタクトアセンブリ。
【請求項１８】
第１取り付け部分と第２スリーブが、導電性材料の単一の第２片から一体的に形成されることを特徴とする請求項１１の電気的コンタクトアセンブリ。
【請求項１９】
外側シェルが、少なくとも１つの誘電性材料とステンレス鋼から形成されることを形成されることを特徴とする請求項１１の電気的コンタクトアセンブリ。
【請求項２０】
第１複数ワイヤと第２複数ワイヤが、約０．７５インチの距離にわたって噛み合うように適合していることを請求項１１の電気的コンタクトアセンブリ。
【発明の詳細な説明】
【技術分野】
【０００１】
この発明は、電気コネクタアセンブリのための挿入可能且つ除去可能なコンタクトに関する。より詳しくは、本願発明はピンアンドソケット及びブラシ型コンタクトに対する改善に関する。
【背景技術】
【０００２】
電気コネクタアセンブリは通常、プラグとレセプタクルを含む。プラグ及びレセプタクルコネクターの通常の種類は、ピン（プラグ）及びソケット（レセプタクル）端子を利用する。そのようなピンアンドソケットコンタクトは雄及び雌型であって、電気的相互接続が、コンタクトの間で、雄ピンを雌ソケットに挿入することにより行われる。別の種類のプラグ及びレセプタクルコネクタアセンブリは、１組のブラッシュ型端子を利用する。時々、毛ブラシバンチコンタクト、又はＢ３コンタクトとして参照され、そのようなブラシ型のコンタクトは両性具有であり、それぞれのコンタクトがワイヤの束を含んでいる。電気的接続は、コンタクトの間で、１つのコンタクトの束ねられたワイヤを他の束ねられたワイヤに噛み合わせる事により、行われる。
【０００３】
それらの異なる構成のために、ピンアンドソケット型コンタクト及びブラシ型コンタクトは、それぞれ異なる利点と欠点を備えた異なる操作特質を有する。異なる操作特性の間では、高密度コネクタアセンブリ、すなわちサイズに適合すること、適切な量の電流を運ぶこと、並びに衝撃及び振動状態の間結合したままでいることのコンタクトの能力が異なる。例えば、ピンアンドソケット型コンタクトが典型的には大きな寸法（１２ゲージ以上）であり、多い電流（５０アンペア〜５００アンペア）を運ぶ一方、ブラシ型コンタクトは典型的には小さな寸法（２２ゲージ以下）であり、少ない電流（５アンペア以下）を運ぶ。従って、ピンアンドソケット型コンタクトは典型的には、電力端子として用いられ、ブラシコンタクトは典型的にはデジタル信号端子として用いられる。
【発明の概要】
【発明が解決しようとする課題】
【０００４】
ピンアンドソケット型コンタクトはしかしながら分離衝撃及び振動状態の下ではしばしば緩くなりやすいが、ブラシ型コンタクトはそのような状態の間でもよい電気的コンタクトを維持することができる。したがって、多い電流用途に用いる高密度コネクタアセンブリに使用することができ、分離衝撃及び振動状態の下でも結合したままのコンタクトアセンブリの必要が残っている。
【課題を解決するための手段】
【０００５】
従って、少なくとも上述の問題点及び／又は不利な点を解決し、少なくとも以下で記載する利点を提供するために、本願発明の非限定的な対象は、電気的コンタクトの装置及び方法を提供することである。電気的コンタクトは、軸方向に整列された電気的に伝導性である複数のワイヤであって、それぞれのワイヤがそれらの周辺表面で少なくとも１つの他のワイヤと電気的に接触するワイヤと、電気的に伝導性である内側スリーブであって、複数のワイヤの周りに配置され且つ内側スリーブが半径方向に広がることを許可するように適合された前縁から軸方向に延在する少なくとも１つのスロットを有する内側スリーブと、複数のワイヤと内側スリーブの前縁を少なくとも保護するために内側スリーブの回りに配置される外側シェルと、複数のワイヤ、内側スリーブ及び外側シェルの端子端に位置する取り付け部であって、少なくとも複数のワイヤと内側スリーブと電気的に接触し且つ少なくとも複数のワイヤと第１電子装置と電気的に接触する内側スリーブを置くために適合される取り付け部と、を含む。
【０００６】
本発明のこれらの及び他の目的と、それらの意図された利点の多くが、添付の図面と併用して、以下の記載を参照すれば、より早く明らかになる。
【図面の簡単な説明】
【０００７】
【図１】本願発明によるコンタクトアセンブリ・ピン／ブラシの非限定的な実施形態の、一部が断面の、立面図である。
【図２】図１で図示された、コンタクトアセンブリ・ピン／ブラシの非限定的な実施形態の、一部が断面の、分解立面図である。
【図３】図１で図示された、コンタクトアセンブリ・ソケット／ブラシの非限定的な実施形態の、一部が断面の、分解立面図である。
【図４】図１及び図３で図示された内側スリーブの非限定的な実施形態の断面図である。
【発明を実施するための形態】
【０００８】
添付した図面を参照する方法により本願発明の非限定的実施例への詳しい参照がなされ、同様の参照符号は同様のパーツ、コンポーネント及び構造物を参照する。
【０００９】
図面に戻って、図１は、本願発明によるピン／ブラシコンタクト１０２及びソケット／ブラシコンタクト１０４を含むコンタクトアセンブリ１００の非限定的な実施形態の部分的に断面図である立面図を示す。本願のピン／ブラシコンタクト１０２及びソケット／ブラシコンタクト１０４は、改善された電気的コンタクトであり、なぜなら下でより詳しく記載されるように、それらは小さい寸法であり、多い量の電流を運ぶことができ、そして、分離衝撃及び振動状態の間結合されたままである単一のコンタクトを提供するからである。
【００１０】
図１で示すように、ピン／ブラシコンタクト１０２及びソケット／ブラシコンタクト１０４は、それぞれ、円柱の第１直径のカラー部分１０６で、前記カラー部分１０６前方端から延在する実質的に円柱状の束の軸方向に整列された第２のより小さな直径のワイヤを備えたものを含む。直径の差は、それぞれが開口部を通じて、例えば、絶縁筐体（図示されていない）に挿入される場合に、それぞれのコンタクト１０２及び１０４のためのストップを提供するステップを作る。軸方向に整列されたワイヤ１０８の束は、電気的に、コンタクト１０２及び１０４に第１取り付け部１１０で取り付けられ、個々のワイヤ１０８のそれぞれは、少なくとも１つの他のワイヤ１０８にそれらの周辺表面で電気的に接触する。ワイヤ１０８は実質的に任意の取り付け技術、例えば、はんだ付け、ろう付け、溶接、又は圧接により第１取り付け部分１１０内に一緒に固定することができる。図示された実施形態において、ワイヤ１０８は圧接されている。
【００１１】
ピン／ブラシコンタクト１０２及びソケット／ブラシコンタクト１０４は、それぞれ、それぞれのコンタクトを電子装置にＰＣＢのトレース又は電線を経由して電気的に取り付けるためのカラー部分１０６の後端から延在する第２取り付け部分１１２を含んでいる。第２取り付け部分１１２及び第１取り付け部分１１０は電気的コンタクト状態にあり、電流がワイヤ１０８から第２取り付け部分１１２が取り付けられている電子装置に流れることができる。第２取り付け部分１１２は、実質的に任意の取り付けスタイル、例えば圧接、はんだ、ＰＣテール（ｔａｉｌ）、又はワイヤラップで備えられることができる。図示された実施形態において、ピン／ブラシコンタクト１０２及びソケット／ブラシコンタクト１０４は、それぞれ圧接第２取り付け部分１１２を備えている。圧接第２取り付け部分１１２は、検査ホール１１４を含む。電線の端部表面が、第２取り付け部分１１２の孔１１６に挿入された後に、検査ホールを通じて検査することができる。
【００１２】
図２に示されているように、ピン／ブラシコンタクト１０２は、コンタクト１０２及び１０４が一体になったときに、ワイヤ１０８を損傷又は外に開くことから保護するために、ワイヤ１０８を囲み且つワイヤ１０８の前縁の前方に延在するピン形状の円柱状スリーブ２００を含む。円柱状のスリーブ２００は導電性の材料から形成され、少なくともピン／ブラシコンタクト１０２の第２取り付け部分１１２と電気的なコンタクト状態にある。これにより電流は円柱状スリーブ２００から第２取り付け部分１１２が取り付けられた電子装置に流れることができる。したがって、カラー部分１０６、第２取り付け部分１１２、及び円柱状スリーブ２００は一体的に、例えば銅ベース合金のような、導電性材料の同じ一片から形成されることができる。それらは導電性材料の別々の一片から形成されることもでき、実質的に任意の好適な手段によって機械的に取り付けられる。
【００１３】
円柱状スリーブ２００は十分な直径の孔２０２を含み、それらが互いに噛み合うように（例えば図１参照）、コンタクト１０２及び１０４のそれぞれのワイヤ１０８の半径方向の広がりを許可する。円柱状スリーブ２００は、ピン／ブラシコンタクト１０２が絶縁筐体を通じて挿入されるか、ソケット／ブラシコンタクト１０４と噛み合う場合に、ワイヤを損傷すること又は広がることから防ぐために、ワイヤ１０８の前縁の前方に延在する。円柱状スリーブ２００は、「ピン形状」であり、ピン／ブラシコンタクト１０２をソケット／ブラシコンタクト１０４に案内するための外側表面に、それは丸くされているか面取りされている前縁２０２を含んでいる。前縁２０４もまた、ピン／ブラシコンタクト１０２がソケット／ブラシコンタクト１０４に一体となるときに、ソケット／ブラシコンタクト１０４のワイヤを円柱状スリーブ２００の孔２０２に案内するために、それの内側表面で、すなわち、孔２０２で、丸くされているか、面取りされている。さらに、ピン／ブラシコンタクト１０２の円柱状スリーブ２００は、通常のブラシコンタクトによって運ぶことができないより大きな出力型の電流を含む電流を運ぶのに十分な厚さがある。
【００１４】
図３に示されているように、ソケット／ブラシコンタクト１０４は円柱状外側スリーブ３００と円錐状内側スリーブ３０２を含む。外側スリーブ３００は中空であり、ピン／ブラシコンタクト１０２とソケット／ブラシコンタクト１０４が一体になる場合に、ピン／ブラシコンタクト１０２の前縁２０４を外側スリーブ３００の孔３０６に案内するための
テーパー状の入口部分３０４を含む。内側スリーブ３０２は外側スリーブ３００の孔３０６内に配置され、ピン／ブラシコンタクト１０２の前縁２０４の外側直径よりも小さい前縁４０２（図４）の直径で円錐状の孔３０８を形成する。ソケット／ブラシコンタクト１０４のワイヤ１０８が、内側スリーブ３０２の円錐孔３０８に配置される。
【００１５】
内側スリーブ３０２は導電性材料から形成され、少なくともソケット／ブラシコンタクト１０４の第２取り付け部分１１２と電気的に接触する。これにより電流は内側スリーブ３０２から第２取り付け部分１１２が取り付けられる電子装置に流れることができる。従って、カラー部分１０６、第２取り付け部分１１２、及び内側スリーブ３０２は、銅ベース合金のような導電性材料の同じ一片から一体的に形成されることができる。それらは導電性材料の別々の一片から形成されることもでき、実質的に任意の好適な手段によって機械的に取り付けられる。
【００１６】
内側スリーブ３０２のように、外側スリーブ３００は、導電性材料の単一の一片からカラー部分１０６と第２取り付け部分１１２と一体的に形成されることもできる。そして、外側スリーブ３００は、誘電性材料を含む実質的に任意の材料を使用して、カラー部分１０６と第２取り付け部分１１２から分離して形成されることができる。外側スリーブ３００は、ソケット／ブラシコンタクト１０４が絶縁性筐体を通じて挿入される場合にワイヤを損傷又は外側に広がることから防ぐために、ワイヤ１０８の前縁の前方に延在する。外側スリーブ３００は、その主要機能が、一体となったコンタクトを、一体となっている間の損傷及び例えば、湿気のような要素から守ることである場合には、好ましくは内側スリーブ３０２よりもより弾性のある材料、例えばステンレススチールから製造される。別々に形成される場合には、外側スリーブ３００は、カラー部分１０６及び第２取り付け部分１１２に、実質的に任意の手段によって、機械的に取り付けることができる。
【００１７】
図４に示されるように、内側スリーブ３０２はカラー部分１０６及び第２取り付け部分１１２から分離して形成され、外側スリーブ３００の範囲内に挿入されるように適合される。内側スリーブ３０２は、内側スリーブ３０２の長さに軸的に沿って内側スリーブ３０２の前縁４０２から延在する少なくとも１つの前方スロット４００を含む。これにより内側スリーブ３０２の前縁４０２が、ピン／ブラシコンタクト１０２がその中に挿入される際に、半径方向に弾性的に曲がることができる。内側スリーブ３０２は、また内側スリーブ３０２の長さに軸的に沿って内側スリーブ３０２の後縁４０６から延在する少なくとも１つのリアスロット４０４を含む。これにより、内側スリーブ３０２の後縁４０６が、ソケット／ブラシコンタクト１０４の第１取り付け部分１１０の周りに備え付けられるときに、半径方向に弾性的に曲がることができる。
【００１８】
内側スリーブ３０２は、ソケット／ブラシコンタクト１０４の第１取り付け部分１１０の対応する環状溝（示されていない）に係合するように適合された、後縁４０６に内側に突出する環状リブ４０８を含む。これにより、ピン／ブラシコンタクト１０２がその中に設置されるとき及びそこから除去されるときに、内側スリーブ３０２に加わる軸方向の力に抵抗する。環状溝４１０は、内側スリーブ３０２の外側周辺表面の周りに配置され、同様に、外側スリーブ３００が内側スリーブ３０２の周りに設置される場合に、外側スリーブ３００の孔３０６に配置されている対応する内側に突出する環状リブ（示されていない）を係合するために適合されている。内側スリーブ３０２の前縁４０２は、ピン／ブラシコンタクト１０２及びソケット／ブラシコンタクト１０４が一緒に一体化する場合に、ピン／ブラシコンタクト１０２の円柱状スリーブ２００を案内するために、それらの内側表面で、すなわち、孔３０８で、丸くされるか、又は面取りされた、部分４１２を含む。好ましい実施形態において、内側スリーブ３０２は、内側スリーブ３０２の反対側に配置された２つの前方スロット４００及び内側スリーブ３０２の周辺周りに互いに等間隔に配置された３つの後スロット４０４を含む。
【００１９】
図１に示したように、コンタクトアセンブリ４００は、ピン／ブラシコンタクト１０２をソケット／ブラシコンタクト１０４に軸方向に挿入することにより、２つのコンタクトが伸縮係合になるように、一体化される。この方法で一体化する場合に、ピン／ブラシコンタクト１０２の円柱状スリーブ２００は、ソケット／ブラシコンタクト１０４の内側スリーブ３０２を半径方向に曲げ、ピン／ブラシコンタクト１０２及びソケット／ブラシコンタクト１０４のそれぞれのワイヤ１０８が弾性的に変形し、且つ距離「Ｄ」に亘り噛み合う。コンタクト１０２及び１０４のそれぞれのワイヤ１０８が噛み合って半径方向に広がるので、それらは互いに半径方向の力が及ぶ。
ピン／ブラシコンタクト１０２の円柱状スリーブ２００とソケット／ブラシコンタクト１０４の内側スリーブ３０２との間の半径方向の力及びワイヤ１０８の間の半径方向の力は、ピン／ブラシコンタクト１０２とソケット／ブラシコンタクト１０４との間で機械及び電気接続の両方を行う。好ましい実施例において、ピン／ブラシコンタクト１０２及びソケット／ブラシコンタクト１０４は、噛合距離「Ｄ」が約０．０７５インチであるように構成される。
【００２０】
噛み合うと、ピン／ブラシコンタクト１０２及びソケット／ブラシコンタクト１０４のワイヤ１０８は、冗長電流経路を提供する。なぜなら典型的には、一体となったピン／ブラシコンタクト１０２とソケット／ブラシコンタクト１０４ごとに１４〜７０の間の点のコンタクトがあるからである。それらの冗長電流経路は、ピン／ブラシコンタクト１０２及びソケット／ブラシコンタクト１０４が、分離衝撃及び振動状態の間に、結合されたままにすることができ、非常に電流不連続性を減少させることができる。したがって、ピン／ブラシコンタクト１０２とソケット／ブラシコンタクト１０４は、そのような状況の間、明確で且つ制御されたインピーダンスの経路を提供する。
【００２１】
加えて、ピン／ブラシコンタクト１０２の円柱状スリーブ２００とソケット／ブラシコンタクト１０４の内側スリーブ３０２との間の電気的コンタクト、並びにピン／ブラシコンタクト１０２とソケット／ブラシコンタクト１０４のワイヤ１０８の間の電気的コンタクトを経由して、ピン／ブラシコンタクト１０２とソケット／ブラシコンタクト１０４の間の電流の流れを与えることにより、電気的コンタクト領域の大きな領域が、全空間のより小さな量で提供され、すなわち、コンタクト比がそれらのコンタクトにとって改善される。増大したコンタクト比は、より低い電気抵抗、より低い電圧降下、及びそれらのコンタクトに亘りより低い温度をもたらす。このようにして、本願発明は、多い量の電流を運ぶことに適し且つ分離衝撃及び振動状態に強いコンタクトを提供し、それは高密度電気コネクターを製造する際に設計の自由度を高めることを可能にする。
【００２２】
本願発明の代替的な実施形態において、絶縁層（示されていない）は、同軸コネクターを形成するために、ワイヤ１０８とピン／ブラシコンタクト１０２の円柱状スリーブ２００との間、及びワイヤ１０８とソケット／ブラシコンタクト１０４の内側スリーブ３０２との間に配置されることができる。その代替的な実施形態において、絶縁層（示されていない）は、ピン／ブラシコンタクト１０２及びソケット／ブラシコンタクト１０４のワイヤを通じた電流の流れ、並びに、ピン／ブラシコンタクト１０２の円柱状スリーブ２００とソケット／ブラシコンタクト１０４の内側スリーブ３０２とを通じた電流の流れとの間に電気的な分離を維持するために、カラー部分１０６と第２取り付け部分１１２の内側部分及び外側部分との間に配置することもできる。したがって、本願発明の特徴は、新規な同軸コネクターで使用することもできる。
【００２３】
前述の記載及び図面は、本発明の原理のみを図示するものと考えられるべきである。本発明は、様々な形状及び寸法で構成することができ、好ましい実施形態で限定されることを意図するものではない。本発明のたくさんの応用が、当業者であれば直ぐに思いつく。したがって、開示された特定の実施例又は示されて記載された通りの構造及び操作に本発明を限定することは望ましくない。むしろ、全ての好ましい修正及び均等物は、本発明の範囲内に収まり、再分類されうる。
【符号の説明】
【００２４】
１００  コンタクトアセンブリ
１０２  ピン／ブラシコンタクト
１０４  ソケット／ブラシコンタクト
１０６  カラー部分
１０８  ワイヤ
１１０  第１取り付け部分
１１２  第２取り付け部分
１１４  検査ホール
１１６  孔
２００  円柱状スリーブ
２０２  孔
２０４  前縁
３００  円柱状外側スリーブ
３０２  円錐状内側スリーブ
３０４  テーパー状の入口部分
３０６  孔
３０８  円錐状の孔
４００  前方スロット
４０２  前縁
４０４  リアスロット
４０６  後縁
４０８  環状リブ
４１０  環状溝
４１２  丸くされるか、又は面取りされた、部分
【図１】
2010192442.tif 000003
【図２】
2010192442.tif 000004
【図３】
2010192442.tif 000005
【図４】
2010192442.tif 000006
【外国語明細書】
2010192442.tif 000007
2010192442.tif 000008
2010192442.tif 000009
2010192442.tif 000010
2010192442.tif 000011
2010192442.tif 000012
2010192442.tif 000013
2010192442.tif 000014
2010192442.tif 000015
2010192442.tif 000016
2010192442.tif 000017
2010192442.tif 000018
2010192442.tif 000019
2010192442.tif 000020
2010192442.tif 000021
2010192442.tif 000022
2010192442.tif 000023
2010192442.tif 000024
2010192442.tif 000025
2010192442.tif 000026